(57)【要約】      （修正有）【課題】重ねた物品に装着しやすく、運搬の際に重ねた物品が傾きにくく、扉を開閉する際に運搬具を仮置きしても装着状態が解除されず、物品を安定させた状態で運搬しやすい運搬具を提供すること。【解決手段】運搬具１に一対の挟持体１０を備え、一対の挟持体の中央と物品の中央とを平面的に合わせるように位置誘導させる誘導手段を備える。誘導手段は、各々の挟持体の前方と後方に配設させ、内方側に突出された突出部材２１とし、前方に配設された前記突出部材の内面を前方に傾斜させ、後方に配設された突出部材の内面を後方に傾斜させ、物品を挟持体に挟持させる際に、突出部材の各々の内面が前記物品に接して位置誘導させるようにする。また、挟持状態ロック手段６０を備える。【選択図】図１
2020111435.tif 000002
【特許請求の範囲】
【請求項１】
平面的に広がりのある物品の上から下ろし、前記物品の左右を挟持させる一対の挟持体を備えた運搬具であって、
前記挟持体の各々の下部には、前記一対の挟持体の中央と前記物品の中央とを平面的に合わせるように位置誘導させる誘導手段を備え、
前記誘導手段が、各々の前記挟持体の前方と後方に配設されると共に、内方側に突出された突出部材からなり、
前方に配設された前記突出部材の内面が前方に傾斜され、後方に配設された前記突出部材の内面が後方に傾斜されてなり、
前記物品を前記一対の挟持体に挟持させる際に、各々の前記内面が前記物品に接して位置誘導させる、
ことを特徴とする運搬具。
【請求項２】
前記挟持体の各々が、把持部と、弾発手段と、挟持ロック手段とを有する竿体を備え、
各々の前記竿体が、前記物品の上方に向けて屈曲されてなり、前後方向に伸びる第１水平軸部の周りに軸動可能とされ、
前記把持部が、各々の前記竿体の上方先方に備えられ、
前記弾発手段が、前記把持部の下方に、各々の前記竿体を繋いで備えられ、
前記把持部が把持された状態で、前記一対の挟持体の下方が閉じて前記物品が挟持され、前記挟持ロック手段により前記把持部がロックされ、
前記挟持ロック手段がロック解除されると、前記弾発手段の弾発作用により、前記一対の挟持体の下方が拡開され、前記物品が離脱可能とされる、
ことを特徴とする請求項１に記載の運搬具。
【請求項３】
各々の前記竿体が、第１水平軸部よりも下方の位置に、夫々前後方向に伸びる第２水平軸部と第３水平軸部とを有し、
各々の前記竿体を、上に位置される第２水平軸部において上方に屈曲させ、下に位置される第３水平軸部において下方に屈曲させることにより、前記物品よりも幅が広い幅広物品が把持可能とされている、
ことを特徴とする請求項２に記載の運搬具。
【請求項４】
前記誘導手段をなす、前方の突出部材と後方の突出部材との距離が調整可能とされ、
前後方向の長さが異なる物品に適用可能とされている、
ことを特徴とする請求項１乃至請求項３のいずれか一項に記載の運搬具。
【請求項５】
各々の前記突出部材は垂直軸部を有し、
各々の前記突出部材が垂直軸部に対して水平に軸動可能とされ、
前後に並んだ前記垂直軸部を結ぶ仮想線上において、前後に並んだ前記突出部材の内面の距離が、前記物品の前後の大きさとされている、
ことを特徴とする請求項１乃至請求項４のいずれか一項に記載の運搬具。
【請求項６】
各々の前記竿体が、前後に配された一対の竿体からなり、
前方の前記竿体と後方の前記竿体とが、前方の前記突出部材と後方の前記突出部材との間に配設されている、
ことを特徴とする請求項２乃至請求項５のいずれか一項に記載の運搬具。
【請求項７】
前記物品が、上縁に水平な鍔部と前記鍔部の外縁から垂下される手掛片とを有する部品運搬ケースとされ、
各々の前記挟持体の内方に、上方に屈曲された尖頭部を有する軸体が複数備えられ、
前記尖頭部が前記鍔部の下面を支持すると共に、いずれかの前記尖頭部が前記手掛片に係止される、
ことを特徴とする請求項１乃至請求項６のいずれか一項に記載の運搬具。
【発明の詳細な説明】
【技術分野】
【０００１】
扉を開閉する必要がある出入口を通行する場合でも、部品が収容された部品運搬ケース（以下、通い箱という。）等の平面的に広がりのある物品を運搬しやすい運搬具に関する。詳細には、重ねた物品に装着しやすく、運搬の際に重ねた物品が傾きにくく、扉を開閉する際に運搬具を仮置きしても装着状態が解除されず、物品を安定させた状態で運搬しやすい運搬具に関する。
【背景技術】
【０００２】
大規模な製造工場の出入口は、作業環境改善と安全管理を目的として、物品搬送車用のシャッターと作業者用の扉とが並んで設けられ、作業者は物品を運搬する場合でも、作業者用の扉を通行している。より具体的には、敷地内の異なる建物品から部品等が収容された通い箱を運ぶ場合には、両手で通い箱を持ち上げて建物品の扉まで運んでから、扉の前で通い箱を降ろし、扉が閉じないように体で扉を支えた状態で、再度、両手で通い箱を持ち上げなおして扉を通行していた。
【０００３】
特許文献１には、コンクリート製のブロックの運搬具の技術が開示されている。特許文献１に記載の運搬具には、ブロックの側面を挟む向かい合った挟持爪を先方に有すると共に、挟持爪を開閉可能とさせるように軸動可能に連結された対をなす把持竿が備えられている。対をなす把持竿は前後に二対備えられ、前後の把持竿上部を繋いでいる把持部を持上げると先方の挟持爪が閉じてブロックを挟持し、把持部を下ろすと先方の挟持爪が開いてブロックの挟持状態が解除される。
【０００４】
この技術によれば、隣合わせて並べたブロックの前後の対をなす孔に、夫々対をなす挟持爪を挿し込んで、把持部を持ち上げて運搬すれば、左右両手でブロックを運搬することもできるとされている。しかし、この運搬具は開かれた場所で物品を運搬するには好適であったが、扉を通行する場合等に、運搬具を下ろすと、降ろした運搬具の挟持状態が解除され、物品を脱落させやすいという課題があった。
【０００５】
特許文献２には、バッテリーのトレイに、自動車用のバッテリーを搭載させる運搬冶具の技術が開示されている。この運搬冶具には、中央部で軸動可能に交差された一対の縦竿体の上部の夫々を、横竿体の左右に伸びる長孔の中に挿し込んでいる。横竿体の左右各々の外方には第１の軸部を張り出させ、一対の縦竿体の交差部の側面からは第２の縦竿体を上方に伸ばし、第２の縦竿体の左右外方には第２の軸部を張り出させている。
【０００６】
そして、上下に並んだ第１の軸部と第２の軸部とを把持し、第１の軸部を上にあげて、一対の縦竿体の先方を閉じて物品を挟持させ、運搬治具を持ち上げて運搬させる。一方、物品を所定の位置に降ろせば、一対の縦竿体の間に装着されたバネの弾発作用により第１の軸部が下方に引き下ろされ、挟持状態が解除され、物品が所定の位置に載置される。
【０００７】
物品がバッテリーである場合には、衣服を汚さないように、且つトレイとバッテリーとの隙間に指を挟まないようにして、トレイにバッテリーを載置することができ好適であるとされている。しかし、この技術を平面的に広がりのある物品を運搬する運搬具に適用する場合には、物品を重ねて運ぼうとすると上に積んだ物品が傾きやすく、また、物品を下ろすと、挟持状態が解除され、物品の仮置きができないという課題があった。
【０００８】
特許文献３にも、自動車用のバッテリーをトレイに搭載させる運搬治具の技術が開示されている。この運搬治具は、特許文献２に記載の運搬冶具とは構成は異なるが、第２の発明と同様に、物品を重ねて運ぼうとすると、物品が傾いて上に積んだ物品が滑り落ちやすく、また、物品を下ろすと、挟持状態が解除され、物品の仮置きができないという課題があった。
【０００９】
特許文献４には、複数段に重ねたトレイの運搬冶具であって、Ｚ字形アームを交差させたアームの先端に鉤部を備えさせた運搬冶具の技術が開示されている。この技術の場合には、鉤部が最下段のトレイの段角部に係るため、トレイを安定した状態で運搬することができるとされている。しかし、トレイを仮置きすると鉤部が外れ、挟持状態が解除され、物品の仮置きができないという課題があった。
【００１０】
前記のように、従来の運搬具は、物品の左右を挟持体で挟持させて運搬させている。しかし、物品が平面的に広がりのある物品である場合には、物品を傾かせない安定した状態で運搬させるためには、挟持体の中央に物品の中央が合うようにする必要があった。しかし、従来の運搬具によれば挟持体の中央を物品の中央に合わせにくく、運搬の際に物品が傾きやすく、扉を開閉して通行する場合には物品を運搬しにくいという課題があった、
【先行技術文献】
【特許文献】
【００１１】
【特許文献１】実開昭５９−１９５１１０号
【特許文献２】実開昭６０−９６３０６号
【特許文献３】実開昭６１−１３２３８１号
【特許文献３】実開平０２−１４９６１２号
【発明の概要】
【発明が解決しようとする課題】
【００１２】
本発明は、部品が収容された部品運搬ケース等の平面的に広がりのある物品を、運搬しながら扉を開閉する場合でも、運搬しやすい運搬具を提供することを課題としている。詳細には、重ねた物品に装着しやすく、運搬の際に重ねた物品が傾きにくく、扉を開閉する際に運搬具を仮置きしても装着状態が解除されず、物品を安定させた状態で運搬しやすい運搬具を提供することを課題とした。
【課題を解決するための手段】
【００１３】
本発明の第１の発明は、平面的に広がりのある物品の上から下ろし、前記物品の左右を挟持させる一対の挟持体を備えた運搬具であって、前記挟持体の各々の下部には、前記一対の挟持体の中央と前記物品の中央とを平面的に合わせるように位置誘導させる誘導手段を備え、前記誘導手段が、各々の前記挟持体の前方と後方に配設されると共に、内方側に突出された突出部材からなり、前方に配設された前記突出部材の内面が前方に傾斜され、後方に配設された前記突出部材の内面が後方に傾斜されてなり、前記物品を前記一対の挟持体に挟持させる際に、各々の前記内面が前記物品に接して位置誘導させることを特徴としている。
【００１４】
挟持体は、板体又は前後に配された竿体であればよいが、竿体と板体とからなっていてもよい。挟持体は、物品の左右を挟持すると好適であるが、挟持体の向きをかえて前後を挟持するように適用してもよいことは勿論のことである。挟持体の下部には、物品に接しながら一対の挟持体の中央と前記物品の中央とを平面的に合わせるように誘導させる突出部材が備えられている。重ねた物品が位置ずれしやすい物品である場合には、突出部材を挟持体の下部だけではなく、上方まで形成させておけばよい。
【００１５】
突出部材は、少なくとも水平方向において傾斜されていればよい。具体的には、前後の突出部材の間隔を、物品に面する先方側は広く、基端部側は狭くなるように水平方向に傾斜させ、運搬具を物品の上から下ろしてから、物品を挟持しながら、挟持体の中央と物品の中央とを平面的に合わせるように位置誘導させればよい。
【００１６】
本発明の第１の発明によれば、物品を挟持させる一対の挟持体を、平面的に広がりのある物品の左右を挟持させるように下ろしてから、挟持させる際に、誘導手段をなす突出部材を物品の外縁に接しさせながら、挟持体の中央と物品の中央とを平面的に合わせるように位置誘導させる。これにより、運搬中に重ねた物品を傾かせないように、挟持体の中央と物品の中央とを平面的に合わせやすいという従来にない有利な効果を奏する。
【００１７】
本発明の第２の発明は、第１の発明の運搬具において、前記挟持体の各々が、把持部と、弾発手段と、挟持ロック手段とを有する竿体を備え、各々の前記竿体が、前記物品の上方に向けて屈曲されてなり、前後方向に伸びる第１水平軸部の周りに軸動可能とされ、前記把持部が、各々の前記竿体の上方先方に備えられ、前記弾発手段が、前記把持部の下方に、各々の前記竿体を繋いで備えられ、前記把持部が把持された状態で、前記一対の挟持体の下方が閉じて前記物品が挟持され、前記挟持ロック手段により前記把持部がロックされ、前記挟持ロック手段がロック解除されると、前記弾発手段の弾発作用により、前記一対の挟持体の下方が拡開され、前記物品が離脱可能とされることを特徴としている。
【００１８】
ここで第１水平軸の位置は限定されず、各々の挟持部の直上部でもよく、挟持させる物品の中央上部でもよい。把持部は、物品の中央上部に設けられると好適であるが、左右のいずれかに偏っていてもよい。弾発手段は、竿体の形態に応じて圧縮又は引張のいずれかの弾発力を生じさせればよい。挟持ロック手段は、各々の竿体の上部に備えられた把持部を係合させる鉤爪体であればよいが、形態は限定されない。
【００１９】
運搬作業員が、重ねた物品の上から下に挟持部を下ろすようにして、運搬具により重ねた物品を囲む。運搬作業員が把持部を弾発手段の弾発力に抗して把持し、挟持ロック手段により把持部をロックする。そして、挟持ロック手段が解除されるまでは、把持部がロックされたまま物品が挟持されている。これにより扉を通行する際に運搬具を仮置きし、再度持上げる際にも、挟持体を挟持させなおす必要がない。一方、把持部のロックを解除すれば、弾発作用により挟持部の下方が拡開され、物品を容易に離脱させることができる。
【００２０】
第２の発明によれば、物品を仮置きしても運搬具が物品から離脱されず、一方、把持部をロック解除すれば挟持部が拡開され物品が離脱される。これにより、物品を安定させた状態で、且つ容易に運搬することができる。
【００２１】
本発明の第３の発明は、第１又は第２の発明の運搬具において、各々の前記竿体が、第１水平軸部よりも下方の位置に、夫々前後方向に伸びる第２水平軸部と第３水平軸部とを有し、各々の前記竿体を、上に位置される第２水平軸部において上方に屈曲させ、下に位置される第３水平軸部において下方に屈曲させることにより、前記物品よりも幅が広い幅広物品が把持可能とされていることを特徴としている。
【００２２】
各々の竿体を、第２水平軸部において上方に屈曲させ、また第３水平軸部において下方に屈曲させると、挟持体が物品を挟持させる幅が、第３水平軸部よりも下方における竿体が向い合った幅とされる。通い箱の場合には、平面形状が一辺３０ｃｍの正方形形状の物品と、前後方向の長さが同一で幅が２倍の長方形形状の物品とが用いられている。第３の発明によれば、左右方向の幅が大きく異なる物品にも適用でき、安定させた状態で運搬することができるという効果を奏する。
【００２３】
本発明の第４の発明は、第１から第３の発明の運搬具において、前記誘導手段をなす、前方の突出部材と後方の突出部材との距離が調整可能とされ、前後方向の長さが異なる物品に適用可能とされていることを特徴としている。前方の突出部材と後方の突出部材との距離が調整可能とされる態様は、各々の突出部材を前後にスライドさせればよいが、突出部材を付設させた腕部を屈曲させる等の形態であってもよい。第４の発明によれば、物品の前後方向の長さが異なる場合にも適用可能であり、汎用性のある運搬具とすることができるという効果を奏する。
【００２４】
本発明の第５の発明は、第１から第４の発明の運搬具において、各々の前記突出部材は垂直軸部を有し、各々の前記突出部材が垂直軸部に対して水平に軸動可能とされ、前後に並んだ前記垂直軸部を結ぶ仮想線上において、前後に並んだ前記突出部材の内面の距離が、前記物品の前後の大きさとされていることを特徴としている。
【００２５】
まず、物品を挟持させる際に、いずれかの突出部材の内面のいずれかの位置が物品に接する。そして、左右の挟持部材の間隔が狭くなるにつれて、順に他の突出部材の内面も物品に接するようになる。左右の挟持部材の間隔が、更に狭くされると、各々の突出部材の先端側の前後方向が狭く、基端部側の前後方向が広くなるように、各々の突出部材が軸動され、前後に並んだ前記突出部材の内面に物品が挟まれるようにして挟持される。
【００２６】
第５の発明によれば、物品を挟持させる際に、物品の中央と挟持部材の中央とを、突出部材を軸動させながら、平面的に緩やかに合わせやすく、各々の突出部材により物品を隙間なく挟持させるため、運搬の際に物品の位置をずらすことがなく、より安定した状態で物品を運搬することができるという有利な効果を奏する。
【００２７】
本発明の第６の発明は、第２から第５の発明の運搬具において、各々の前記竿体が、前後に配された一対の竿体からなり、前方の前記竿体と後方の前記竿体とが、前方の前記突出部材と後方の前記突出部材との間に配設されていることを特徴としている。
【００２８】
竿体が、一対の竿体からなっていることにより、運搬具が変形しにくく、運搬の際に傾きにくい。また、前方と後方の突出部材の間に、換言すれば物品の前後方向の中央近傍に、一対の竿体が配設され、運搬作業員が運搬中の物品の状態を確認しやすいと共に物品が運搬作業員の体に接しにくい。これにより、運搬作業員が、より安定した状態で物品を運搬することができる。
【００２９】
本発明の第７の発明は、第１から第６の発明の運搬具において、前記物品が、上縁に水平な鍔部と前記鍔部の外縁から垂下される手掛片とを有する部品運搬ケースとされ、各々の前記挟持体の内方に、上方に屈曲された尖頭部を有する軸体が複数備えられ、前記尖頭部が前記鍔部の下面を支持すると共に、いずれかの前記尖頭部が前記手掛片に係止されることを特徴としている。
【００３０】
通い箱には、箱の上縁に水平な鍔部と前記鍔部の外縁から垂下される手掛片とからなる手掛け用の窪みが形成されている。挟持体の内方に備えられている複数の軸体の内のいずれかの尖頭部が、窪み部をなす手掛片に係止されると共に、手掛片に係止されていない尖頭部も鍔部を支持しているため、物品を運搬中に運搬具を揺らすことがあっても、挟持体から物品が外れにくく、物品を脱落させにくいという効果を奏する。
【発明の効果】
【００３１】
・第１の発明によれば、運搬中に重ねた物品を傾かせないように、挟持体の中央と物品の中央とを平面的に合わせやすいという従来にない有利な効果を奏する。
・第２の発明によれば、物品を安定させた状態で、且つ容易に運搬することができる。
・第３の発明によれば、左右方向の幅が大きく異なる物品にも適用でき、安定させた状態で運搬することができるという効果を奏する。
・第４の発明によれば、物品の前後方向の長さが異なる場合にも適用可能であり、汎用性のある運搬具とすることができるという効果を奏する。
・第５の発明によれば、物品の中央と挟持部材の中央とを、平面的に緩やかに合わせやすく、運搬の際に物品の位置をずらすことがなく、より安定した状態で物品を運搬することができるという有利な効果を奏する。
・第６の発明によれば、運搬作業員が運搬中の物品の状態を確認しやすいと共に物品が運搬作業員の体に接しにくく、運搬作業員が、より安定した状態で物品を運搬することができる。
・第７の発明によれば、物品を運搬中に運搬具を揺らすことがあっても、挟持体から物品が外れにくく、物品を脱落させにくいという効果を奏する。
【図面の簡単な説明】
【００３２】
【図１】通い箱と運搬具の斜視図（実施例１）。
【図２】挟持する工程の説明図（実施例１）。
【図３】挟持体の構成の説明図（実施例１）。
【図４】突出部材の説明図（実施例２）。
【図５】左右方向の幅調整の説明図（実施例３）。
【図６】その他の竿体の説明図（実施例４）。
【発明を実施するための形態】
【００３３】
運搬具に一対の挟持体を備えさせ、一対の挟持体の中央と前記物品の中央とを平面的に合わせるように位置誘導させる誘導手段を備えさせた。誘導手段は、各々の挟持体の前方と後方に配設させ、内方側に突出された突出部材とし、前方に配設された前記突出部材の内面を前方に傾斜させ、後方に配設された突出部材の内面を後方に傾斜させ、物品を挟持体に挟持させる際に、突出部材の各々の内面が前記物品に接して位置誘導させるようにした。
【実施例１】
【００３４】
通い箱を運搬作業員が運搬するに適した実施例１の運搬具１を、図１から図３を参照して説明する。図１は、２段に重ねた通い箱１００の左右を運搬具１により挟持させる状態の斜視図を示している。図１における左下を前方として、以下運搬具１を説明する。図２は、重ねた通い箱１００の上から運搬具１を下ろして挟持させる工程を説明する説明図を示している。図３は、挟持体１０の構成を説明する説明図を示している。図１においては、挟持体を狭くする方向を太線矢印で示している。
【００３５】
通い箱１００は、平面形状が一辺３０ｃｍの正方形形状とされ、上縁が鍔部１０１に囲まれると共に、側面の鍔部の略中央部からは手掛片１０２が垂下され、手掛部としての窪部が形成されている。また、通い箱１００の下部は段部をなすように絞られ、通い箱が重ねられた状態で、上に載せた通い箱が下の通い箱からずれ落ちないようにされている。
【００３６】
運搬具１は、左右一対の挟持体１０，１０からなっている。挟持体１０は、通い箱１００を挟持させる挟持板２０と、通い箱１００の上方において２か所の屈曲部で屈曲され、前後に配設された竿体３０と、竿体３０の上部に形成された把持部４０と、把持部の下方で左右の竿体を繋ぐように配設された弾発手段５０と、把持部が閉じた状態を固定させる鉤爪体６０とからなっている。
【００３７】
挟持板２０は、左右各々の挟持体１０の下方に、前後に分割されて付設され、前方の挟持板は前方部が、後方の挟持板は後方部が通い箱１００に向けて内側に屈曲され、突出部材２１とされている。通い箱１００を挟持体１０により挟持させる際に、各々の突出部材２１，２１・・が通い箱１００の隅部に接し、通い箱の中心と４枚の挟持板２０に囲まれた挟持体１０の中心とを平面的に合わせるように誘導させる。各々の挟持板２０には、前後方向にスライドされるスライド部をなす細幅板体２２が一体に形成されている。
【００３８】
竿体３０は、前後に配された２本の竿体が、一対の挟持体の一方の竿体とされている。各々の竿体は上に伸びてから内方に屈曲され、通い箱１００の中央上部を越えてから上方に屈曲されている。前後の竿体３０の下方は、内方側に開放部が形成された略コ字形状をなすスライドレール３１で連結されている。
【００３９】
ここで図３を参照して、挟持板２０と竿体３０の構成について詳細に説明する。図３（Ａ）図は、図３（Ｂ）図Ａ−Ａ位置断面図、図３（Ｂ）図は図３（Ａ）図Ｂ−Ｂ位置断面図、図３（Ｃ）図は図３（Ａ）図Ｃ−Ｃ位置断面図を示している。なお、理解を容易にするため、各図とも物品を破線で示している。各々の挟持板２０の上下方向略中央部には、前記細幅板体２２が一体に形成されている。前方の細幅板体２２は後部が後方に突出され、後方の細幅板体２２は前部が前方に突出され、突出された各々には上下にボルト孔が貫通されている。
【００４０】
前後夫々の細幅板体２２が、竿体３０の下部を連結しているスライドレール３１にスライド可能に挿入される。この細幅板体２２をスライドレール３１に沿ってスライドさせることにより、前方の突出部材と後方の突出部材との距離が調整される。詳細には、スライドレール３１の前方部と後方部には、垂直方向に貫通された長孔３２が形成され、前方部の長孔３２と、前方の細幅板体の後方に貫通されたボルト孔とにボルト３３が貫通されて螺着され、前方の突出部材の前方への突出位置が決定される。また、後方の突出部材についても同様とされている。
【００４１】
前後の突出部材の屈曲部２３，２３の距離を、通い箱１００の前後の寸法よりもやや大きい寸法に調整しておけば、通い箱１００に突出部材２１が接しにくく、挟持する際に挟持体１０を、通い箱１００の上から下ろすことが容易である。一方、前後の突出部材の屈曲部２３，２３の距離と通い箱１００の前後の寸法とを揃った寸法としておけば、挟持した際に通い箱１００の中心と挟持体１０の中心との平面的な位置が揃った位置にすることが容易であり、運搬する際により安定して運搬しやすい。
【００４２】
また、スライドレール３１の下面と、細幅板体２２の下面とには、内方に向けて、上方に屈曲された尖頭部を有する軸体６１が、夫々複数個付設されている。細幅板体の複数個の軸体の尖頭部６２が通い箱１００の鍔部１０１を支障すると共に、スライドレール３１中央部近傍の複数個の軸体の尖頭部６３が通い箱１００の手掛部に係止され、運搬の際に通い箱１００が揺れても運搬具１から通い箱を脱落させにくくしている。
【００４３】
なお、スライドレール３１の外側には、軟質樹脂部材からなる緩衝部材６４が添着されている。緩衝部材６４は、通い箱を運搬している運搬具１が揺れて運搬作業員の体に触れても、運搬作業員を傷つけないようにされている。軟質樹脂材は、発泡樹脂剤が好適であるが限定されない。
【００４４】
スライドレール３１の天面前端には前方の竿体３０の下端が、スライドレール３１の天面後端には後方の竿体３０の下端が一体に溶着され、竿体３０が外方に開かれれば、スライドレール３１に沿ってスライドされる挟持板２０も併せて外方に広がり、挟持板２０の間隔が広がるようにされている。スライドレール３１から上方に伸びている竿体３０は、通い箱１００を４段重ねた高さのやや上方で、通い箱１００の上方に向けて屈曲されている。屈曲部の近傍には前後の竿体３０，３０を繋ぐ補強板３４（図１参照）が付設されている。
【００４５】
更に、屈曲された各々の竿体３０，３０は、通い箱１００の中心上部を越えてから上方に向けて屈曲される。前方及び後方とも、左方の竿体３０，３０と右方の竿体３０，３０は、通い箱１００の中心上部の交差位置３５で軸動可能に交差されている。更に、左方及び右方とも、前方と後方の竿体３０，３０の頂部において把持部４０，４０をなす軸体により連結されると共に、前方の交差位置と後方の交差位置とが第１水平軸部をなす軸体４１により軸動可能に連結されている（図１参照）。
【００４６】
前方及び後方とも、左方の竿体３０と右方の竿体３０の間には、把持部４０と交差位置３５との間の位置に、弾発手段５０としてのコイルバネが付設されている。実施例１の弾発手段５０は圧縮された状態から伸長する圧縮ばねとされている。また、把持部４０の後方部には、一方の把持部の軸体の回りに軸動可能とされ、他方の把持部の軸体に係止される鉤爪体６０が挟持ロック手段として付設されている。左右の把持部３０，３０を近寄らせた状態で鉤爪体６０を引っ掛け、把持部３０，３０の開放をロックする。
【００４７】
ここで、図２を参照して、通い箱１００に運搬具１を挟持させる工程を具体的に説明する。下方が段部をなすように絞られた通い箱１００が２段重ねられ、挟持体１０で挟持される物品とされている。図２の各図は、２段重ねの通い箱１００の前方からの側面図を示している。通い箱１００の上縁の周囲には鍔部１０１が形成されると共に、左右の側面の略中央部の鍔部からは垂下された手掛片１０２が形成されている（図２各図、図３（Ａ）図参照）。
【００４８】
把持部４０，４０が把持されて、左右の挟持板２０，２０の間隔が広がった状態の挟持体１０が、２段重ねの通い箱１００の上方から下ろされ位置合わせされる。物品の左右の幅よりも左右の挟持板２０，２０の間隔が広くされているため、挟持体１０が下ろされる際には、挟持板２０，２０が物品に引っ掛かりにくく、容易に挟持板２０，２０の下方を物品の底部の近傍まで下ろすことができる（図２（Ａ）図参照）
【００４９】
挟持板２０，２０の下方を物品の底部の近傍まで下ろしてから、把持部４０，４０が把持されると、挟持板２０，２０の間隔が狭くされる（図２（Ｂ）図参照）。そして、先方が広く開いた突出部材２１，２１・・のいずれかの位置に物品を摺らせ、挟持体１０の中央と物品の中央とを平面的に合わせるように誘導させながら、左右の挟持板２０，２０により物品の左右面を挟持させる（図1参照）。
【００５０】
挟持板２０，２０が物品を挟持した状態において、運搬具１が僅かに持ち上げられると、スライドレール３１の下面と、細幅板体２２の下面とに付設された軸体６１の上方に屈曲された尖頭部６２，６３が物品の鍔部を支える状態とされる。スライドレール３１の下面に付設された複数の軸体の尖頭部６３は、手掛片１０２に係止された状態となり、物品が揺れても外れにくい（図３（Ｂ）図参照）。また、前後の細幅板体２２の下面に付設されている複数の軸体の尖頭部６２は鍔部１０１の下面を支えている（図３（Ｃ）図参照）。
【００５１】
手掛片１０２を含めて鍔部１０１の全体が複数の尖頭部６２，６３で支えられ又は係止されているため、物品を運搬する際に物品を揺動させても、安定した状態で物品を運搬することができる。通い箱の前後方向の寸法が異なる場合には、スライドレール３１に挿通されている細幅板体２２の前後方向の突出寸法を調整して、通い箱１００の隅部に突出部材の屈曲部２３の内面が接するように、前方の突出部材２１と後方の突出部材２１との距離が調整されればよい。
【実施例２】
【００５２】
実施例２は、誘導手段をなす突出部材７０が、垂直軸部７１を有し、突出部材７０が垂直軸部７１に対して水平に軸動可能とされた運搬具２を、図４を参照して説明する。図４（Ａ）図は開いた状態の突出部材７０が通い箱１００の隅部に接し始める状態を示し、図４（Ｂ）図は前方と後方の突出部材７０がいずれも通い箱１００の隅部に接した状態を示し、図４（Ｃ）図は左右の挟持体１０の間隔を狭くし、前後に並んだ垂直軸部７１を結ぶ仮想線上において前後に並んだ突出部材７０，７０の内面で通い箱１００を挟んだ状態を示している。なお、図４は、理解を容易にするため半面を示している。
【００５３】
運搬具２においては、前方と後方の突出部材７０，７０がなす傾斜面７２が開かれた状態で、通い箱１００を左右の挟持体１０により挟持させ始めると、まず、前方又は後方のいずれかの傾斜面７２のみが通い箱１００の隅部に接する（図４（Ａ）図参照）。更に左右の挟持体１０の間隔を狭くし、他の傾斜面７２を他の隅部に接しさせるようにして、左右の挟持体１０の中心と通い箱１００の中心を平面的に合わせるように誘導させる（図４（Ｂ）図参照）。
【００５４】
そして、更に左右の挟持体１０の間隔を狭くするよう、把持部４０（図１参照）が把持される。前方と後方の突出部７０，７０とも、垂直軸部７１よりも外方が通い箱１００に押されて間隔が広くなると共に、垂直軸部７１よりも内方が狭くなる（図４（Ｃ）図参照）。そうすると、突出部材の傾斜面７２，７２が物品の前後の面を挟むように接し、挟持体１０に挟まれた通い箱１００が前後に遊動できない状態となる。これにより、物品を運搬する際に物品が揺れ動きにくくなり、より安定した状態で物品を運搬することができる。なお、実施例１と同様な構成の一部については、図面に同一の符号を付し説明を省略している。
【実施例３】
【００５５】
実施例３は、竿体３６が、第１水平軸部８０よりも下方の位置に、夫々前後方向に伸びる第２水平軸部８１と第３水平軸部８２とを有し、竿体３６を屈曲させることにより幅が広い幅広物品が挟持可能とされている運搬具３を、図５を参照して説明する。図５（Ａ）図は、幅の狭い通い箱１００に適用される場合を示し、図５（Ｂ）図は、幅の広い通い箱１０３に適用される場合を示している。
【００５６】
左右各々の竿体３６は、挟持板２０の直上部の竿体が屈曲される位置に第２水平軸部８１と、第２水平軸部８１と挟持板２０との中間に第３水平軸部８２を有する。第２水平軸部８１と第３水平軸部８２は、夫々前後方向に伸びている。また、第２水平軸部８１と第３水平軸部８２の両側に伸びている各々の竿体からは、略四分円弧の形状をなした連結アーム８３，８３が、夫々第２水平軸部８１と第３水平軸部８２を中心にして、竿体３６の内面側に伸びている（図５（Ａ）図参照）。
【００５７】
各々の連結アーム８３，８３には、一方からの連結アーム８３，と他方からの連結アーム８３とが重なる位置の両端に、貫通孔８４が穿孔されている。貫通孔８４に割ピン（図省略）を挿しこむことにより、竿体３６を伸ばした状態と、竿体３６を屈曲させた状態とを選択して固定できるようにされている。
【００５８】
幅が狭い通い箱１００から幅が広い通い箱１０３に換えて、運搬具３を適用する場合には、まず、第２水平軸体８１を中心とする２つの連結アーム８３の貫通孔８４に挿し込まれている割ピンを抜いて、屈曲されている竿体３６をまっすぐに伸ばした状態とさせる。そして、２つの連結アームが重なった位置の貫通孔８４に割ピンを挿しこんで、竿体３６を伸ばした状態に固定させる。
【００５９】
次に、第３水平軸体８２を中心とする２つの連結アーム８３の貫通孔８４に挿し込まれている割ピンを抜いて、伸びた状態の竿体３６を屈曲させた状態とさせる。そして、２つの連結アームが重なった位置の貫通孔８４に割ピンを挿しこんで、竿体３６が屈曲された状態に固定させる（図５（Ｂ）図参照）。上方の第２水平軸部８１で竿体がまっすぐに伸ばされた状態とされ、下方の第３水平軸部８２で竿体が屈曲された状態とされることにより、向い合う挟持板２０，２０の間隔が広くなり、幅が広い通い箱１０３にも適用可能となる。
【実施例４】
【００６０】
実施例４は、運搬具１から運搬具３の竿体とは異なる形態の竿体を備えた運搬具４及び運搬具５を、図６を参照して説明する。図６（Ａ―１）図と図６（Ａ―２）図は運搬具４の側面図を示し、図６（Ｂ―１）図と図６（Ｂ―２）図は運搬具５の側面図を示している。図６においては、理解を容易にするために、左方の竿体を実線で示し、右方の竿体を破線で示している。
【００６１】
運搬具４の左右の竿体９０，９０は、通い箱の側面上方において内方に屈曲され、通い箱の中心上部を越してから上方に屈曲されている。左右の各々の竿体９０，９０は、挟持板２０，２０の直上部に第１水平軸部９１，９１を備えている。左右の第１水平軸部９１，９１は、水平に伸びる水平軸９２で連結されている。各々の竿体９０，９０の上端部に形成された左右の把持部４２，４２の間隔が広くされると、挟持板２０，２０の間隔が広くなり、通い箱の上方から挟持体１０を下ろすことが容易になる（図６（Ａ―１）図参照）。
【００６２】
実施例１と同様に、把持部４２，４２が把持され、通い箱が挟持されてから、挟持ロック手段をなす鉤爪部６０により把持部４２，４２がロックされ、挟持板２０の挟持状態もロックされる（図６（Ａ―２）図参照）。運搬具４においては、弾発手段９３をなすコイルバネには、把持部４２，４２が閉じた状態で圧縮力が作用している。挟持ロック手段が解除されると、コイルバネに作用していた圧縮力により、左右の竿体３０，３０の間隔が開くように離間して、運搬具４から通い箱が離脱される。
【００６３】
運搬具５の左右の竿体９４，９４は、挟持板２０の直上部において内方に屈曲され、通い箱１００の中心上部の手前で上方に屈曲されると共に、通い箱の中心上部まで伸びた腕部９５を備えている。左右の竿体９４，９４は、各々の腕部９５，９５に第１水平軸部９６を備え、第１水平軸部９６において左右の竿体が軸動可能に連結されている。また、各々の左右の把持部９７，９７の周囲には、左右の把持部を連結させている把持補助板９８が巻き付けられている。運搬具５においては、把持部が把持されたとは、把持補助板９８が持上げられたことをいう。
【００６４】
把持補助板９８を押し下げると、その上に位置することになる左右の把持部９７，９７の間隔が狭くなる。一方、下方の左右の挟持板２０，２０の間隔が広くなり、挟持板を通い箱１００の上から下ろすことが容易になる（図６（Ｂ−１）図参照）。実施例１と同様に挟持板を通い箱の上から下ろし、通い箱の中心と挟持部の中心とを平面的に合わせてから、把持補助板９８を持ち上げて、把持補助板９８を上がったままに、図示していない挟持ロック手段によりロックさせる（図６（Ｂ−２）図参照）。
【００６５】
そうすると把持部９７，９７がロックされると共に、下方の挟持板２０，２０が通い箱１００を挟んだままとされ、運搬具が仮置きされても、運搬具５は通い箱１００に装着されたままとなる。運搬具５においては、弾発手段９９をなすコイルバネには、挟持部２０，２０に通い箱１００を挟持させ、把持部９７，９７が開いた状態で引張力を作用させている（図６（Ｂ−２）図参照）。挟持ロック手段が解除されると、コイルバネに作用していた引張力により、左右の把持部９７，９７が近接し、左右の竿体の間隔が開くように離間して、運搬具から通い箱が離脱される。
【００６６】
（その他）
・上記の実施例では、主として通い箱を運搬する例を説明したが、物品が通い箱に限定されないのは勿論のことである。
・また、物品の下縁部を支える尖頭部を有する軸体に換えて、物品の下縁部を支える平板が挟持板から突出されていてもよい。軸体に換えて、物品の下方部を支える滑り止めのゴム板が装着されていてもよい。
・今回開示された実施の形態はすべての点で例示であって、制限的なものではないと考えられるべきである。本発明の技術的範囲は、上記した説明に限られず請求の範囲によって示され、請求の範囲と均等の意味および範囲内でのすべての変更が含まれることが意図される。
【符号の説明】
【００６７】
１，２，３，４，５…運搬具、
１００…通い箱、１０１…鍔部、１０２…手掛片、
１０…挟持体、２０…挟持板、２１…突出部材、２２…細幅板体、２３…屈曲部、
３０，３６…竿体、３１…スライドレール、３２…長孔、３３…ボルト、３４…補強板、
３５…交差位置、
４０…把持部、４１…軸体、４２…把持部、
５０…弾発手段、６０…鉤爪体、
６１…軸体、６２…尖頭部、６３…尖頭部、６４…緩衝部材、
７０…突出部材、７１…垂直軸部、７２…傾斜面、
８０…第１水平軸部、８１…第２水平軸部、８２…第３水平軸部、
１０３…幅広物品、８３…連結アーム、８４…貫通孔、
９０…竿体、９１…第１水平軸部、９２…水平軸、９３…弾発手段、９４…竿体、
９５…腕部、９６…第１水平軸部、９７…把持部、９８…把持補助板、９９…弾発手段
【図１】
2020111435.tif 000003
【図２】
2020111435.tif 000004
【図３】
2020111435.tif 000005
【図４】
2020111435.tif 000006
【図５】
2020111435.tif 000007
【図６】
2020111435.tif 000008
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
平面的に広がりのある物品の上から下ろし、前記物品の左右を挟持させる一対の挟持体を備えた運搬具であって、
前記挟持体の各々が、把持部と、弾発手段と、挟持ロック手段とを有する竿体を備え、
各々の前記竿体が、前記物品の上方に向けて屈曲されてなり、前後方向に伸びる第１水平軸部の周りに軸動可能とされ、
前記把持部が、各々の前記竿体の上方先方に備えられ、
前記弾発手段が、前記把持部の下方に、各々の前記竿体を繋いで備えられ、
前記挟持体の各々の下部には、誘導手段が備えられ、
前記誘導手段が、各々の前記挟持体の前方と後方に配設されると共に、内方側に突出された突出部材からなり、
前方に配設された前記突出部材の内面が前方に傾斜され、後方に配設された前記突出部材の内面が後方に傾斜されてなり、
前記物品を前記一対の挟持体に挟持させる際に、各々の前記内面が前記物品に接して、前記一対の挟持体の中央と前記物品の中央とを平面的に合わせるように位置誘導させ、
前記把持部が把持された状態で、前記一対の挟持体の下方が閉じて前記物品が挟持され、前記挟持ロック手段により前記把持部がロックされ、
前記挟持ロック手段がロック解除されると、前記弾発手段の弾発作用により、前記一対の挟持体の下方が拡開され、前記物品が離脱可能とされる、
ことを特徴とする運搬具。
【請求項２】
各々の前記竿体が、第１水平軸部よりも下方の位置に、夫々前後方向に伸びる第２水平軸部と第３水平軸部とを有し、
各々の前記竿体を、上に位置される第２水平軸部において上方に屈曲させ、下に位置される第３水平軸部において下方に屈曲させることにより、前記物品よりも幅が広い幅広物品が把持可能とされている、
ことを特徴とする請求項１に記載の運搬具。
【請求項３】
前記誘導手段をなす、前方の突出部材と後方の突出部材との距離が調整可能とされ、
前後方向の長さが異なる物品に適用可能とされている、
ことを特徴とする請求項１又は請求項２に記載の運搬具。
【請求項４】
各々の前記突出部材は垂直軸部を有し、
各々の前記突出部材が垂直軸部に対して水平に軸動可能とされ、
前後に並んだ前記垂直軸部を結ぶ仮想線上において、前後に並んだ前記突出部材の内面の距離が、前記物品の前後の大きさとされている、
ことを特徴とする請求項１乃至請求項３のいずれか一項に記載の運搬具。
【請求項５】
各々の前記竿体が、前後に配された一対の竿体からなり、
前方の前記竿体と後方の前記竿体とが、前方の前記突出部材と後方の前記突出部材との間に配設されている、
ことを特徴とする請求項１乃至請求項４のいずれか一項に記載の運搬具。
【請求項６】
前記物品が、上縁に水平な鍔部と前記鍔部の外縁から垂下される手掛片とを有する部品運搬ケースとされ、
各々の前記挟持体の内方に、上方に屈曲された尖頭部を有する軸体が複数備えられ、
前記尖頭部が前記鍔部の下面を支持すると共に、いずれかの前記尖頭部が前記手掛片に係止される、
ことを特徴とする請求項１乃至請求項５のいずれか一項に記載の運搬具。